(57)【要約】【課題】表側と裏側とで独立した光学制御が可能な光学制御部材を提供する。【解決手段】光学制御部材１は、互いに対向する第１面２ａおよび第２面２ｂを有し、少なくとも前記第１面２ａと前記第２面２ｂの間に空気よりも高い屈折率を有する基材２を有した光学制御部材１において、前記第１面２ａ上に設けられた第１光学制御層３ａと、前記第２面２ｂ上に設けられ、前記第１光学制御層３ａと対向する第２光学制御層３ｂと、を備え、前記第１光学制御層３ａは、第１パターンで配列された第１領域４ａおよび第２領域４ｂを有し、前記第２光学制御層は、第２パターンで配列された第３領域５ａおよび第４領域５ｂを有し、前記第１領域４ａの光透過率は前記第２領域４ｂの光透過率よりも大きく、前記第３領域５ａの光透過率は前記第４領域５ｂの光透過率よりも大きく、前記第２領域４ｂおよび第４領域５ｂの少なくとも一方は、光学特性の異なる複数の層を積層して形成されている。【選択図】図６
2016038439.tif 000002
【特許請求の範囲】
【請求項１】
互いに対向する第１面および第２面を有し、少なくとも前記第１面と前記第２面の間に空気よりも高い屈折率を有する基材を有した光学制御部材において、
前記第１面上に設けられた第１光学制御層と、前記第２面上に設けられ、前記第１光学制御層と対向する第２光学制御層と、を備え、
前記第１光学制御層は、第１パターンで配列された第１領域および第２領域を有し、
前記第２光学制御層は、第２パターンで配列された第３領域および第４領域を有し、
前記第１領域の光透過率は前記第２領域の光透過率よりも大きく、
前記第３領域の光透過率は前記第４領域の光透過率よりも大きく、
前記第２領域および第４領域の少なくとも一方は、光学特性の異なる複数の層を積層して形成されている光学制御部材。
【請求項２】
前記第１面および前記第２面は、それぞれ、空気よりも高い屈折率を有する基材の互いに対向する表面および裏面である請求項１に記載の光学制御部材。
【請求項３】
前記第１パターンの周期と前記第２パターンの周期とは同じであり、
前記第１領域および前記第３領域は前記基材を挟んで互いに対向し、前記基材の法線方向から観察した場合に重なって見え、
前記第２領域および前記第４領域は前記基材を挟んで互いに対向し、前記基材の法線方向から観察した場合に重なって見える請求項１または２に記載の光学制御部材。
【請求項４】
前記第１パターンの周期と前記第２パターンの周期とは同じであり、
前記第１領域および前記第４領域は前記基材を挟んで互いに対向し、前記基材の法線方向から観察した場合に重なって見え、
前記第２領域および前記第３領域は前記基材を挟んで互いに対向し、前記基材の法線方向から観察した場合に重なって見える請求項１または２に記載の光学制御部材。
【請求項５】
前記第２領域は、第１光反射層または第１光散乱層と、第１光吸収層とが積層して形成され、前記第１光反射層あるいは前記第１光散乱層は、前記第１面と前記第１光吸収層との間に設けられ、
前記第４領域は、第２光反射層または第２光散乱層で形成されている請求項１〜４の何れか１項に記載の光学制御部材。
【請求項６】
前記第２領域は、第１光反射層または第１光散乱層と、第１光吸収層とが積層して形成され、前記第１光吸収層は、前記第１面と前記第１光反射層あるいは前記第１光散乱層との間に設けられ、
前記第４領域は、第２光吸収層で形成されている請求項１〜４の何れか１項に記載の光学制御部材。
【請求項７】
前記第２領域は、第１層と第２層とが積層して形成されており、前記第１層は、前記第１面と前記第２層との間に設けられ、
前記第４領域は、第３層と第４層とが積層して形成されており、前記第３層は、前記第２面と前記第４層との間に設けられ、
前記第２層と前記第３層とは光学特性が類似し、前記第１層と前記第４層とは光学特性が類似し、
前記第２層と前記第４層とは光学特性が異なり、前記第２層と前記第１層とは光学特性が異なり、
前記第３層と前記第４層とは光学特性が異なり、前記第３層と前記第１層とは光学特性が異なる請求項１〜４の何れか１項に記載の光学制御部材。
【請求項８】
前記第２領域は、第１光反射層または第１光散乱層と、第１光吸収層とが積層して形成され、前記第１光反射層あるいは前記第１光散乱層は、前記第１面と前記第１光吸収層との間に設けられ、
前記第４領域は、第２光反射層または第２光散乱層と、第２光吸収層とが積層して形成され、前記第２光吸収層は、前記第２光反射層あるいは前記第２光散乱層と前記第２面との間に設けられている請求項７に記載の光学制御部材。
【発明の詳細な説明】
【技術分野】
【０００１】
この発明の実施形態は、光学制御部材に関する。
【背景技術】
【０００２】
透明基材の両面に、所定パターンの遮光層をそれぞれ配設することによって、特定方向から入射する光を遮断する遮光板が知られている。
【先行技術文献】
【特許文献】
【０００３】
【特許文献１】特開昭６１−１００７０１号公報
【特許文献２】特開２００５−３２１７６６号公報
【発明の概要】
【発明が解決しようとする課題】
【０００４】
しかしながら、従来の遮光板では、遮光層に用いられる材料の光学特性が両面とも同じであるため、遮光板の表側と裏側とで独立した光学制御をすることができなかった。
【０００５】
本発明は、上記の事情に鑑みてなされたものであり、その課題は、表側と裏側とで独立した光学制御が可能な光学制御部材を提供することにある。
【課題を解決するための手段】
【０００６】
実施形態の光学制御部材は、互いに対向する第１面および第２面を有し、少なくとも前記第１面と前記第２面の間に空気よりも高い屈折率を有する基材を有した光学制御部材において、前記第１面上に設けられた第１光学制御層と、前記第２面上に設けられ、前記第１光学制御層と対向する第２光学制御層と、を備え、前記第１光学制御層は、第１パターンで配列された第１領域および第２領域を有し、前記第２光学制御層は、第２パターンで配列された第３領域および第４領域を有し、前記第１領域の光透過率は前記第２領域の光透過率よりも大きく、前記第３領域の光透過率は前記第４領域の光透過率よりも大きく、前記第２領域および第４領域の少なくとも一方は、光学特性の異なる複数の層を積層して形成されている。
【図面の簡単な説明】
【０００７】
【図１】図１は、第１の実施形態に係る光学制御部材の断面図。
【図２Ａ】図２Ａは、第１の実施形態に係る光学制御部材の正面図。
【図２Ｂ】図２Ｂは、第１の実施形態に係る光学制御部材の正面図。
【図３Ａ】図３Ａは、第１の実施形態に係る光学制御部材の光学特性のグラフを示した図。
【図３Ｂ】図３Ｂは、第１の実施形態に係る光学制御部材の光学特性のグラフを示した図。
【図４】図４は、第２の実施形態に係る光学制御部材の断面図。
【図５Ａ】図５Ａは、第２の実施形態に係る光学制御部材の光学特性のグラフを示した図。
【図５Ｂ】図５Ｂは、第２の実施形態に係る光学制御部材の光学特性のグラフを示した図。
【図６】図６は、第３の実施形態に係る光学制御部材の断面図。
【図７Ａ】図７Ａは、第３の実施形態に係る光学制御部材の光学特性のグラフを示した図。
【図７Ｂ】図７Ｂは、第３の実施形態に係る光学制御部材の光学特性のグラフを示した図。
【図８】図８は、第４の実施形態に係る光学制御部材の断面図。
【図９Ａ】図９Ａは、第４の実施形態に係る光学制御部材の断面図。
【図９Ｂ】図９Ｂは、第４の実施形態に係る光学制御部材の断面図。
【図１０Ａ】図１０Ａは、第４の実施形態に係る光学制御部材の光学特性のグラフを示した図。
【図１０Ｂ】図１０Ｂは、第４の実施形態に係る光学制御部材の光学特性のグラフを示した図。
【図１１】図１１は、第５の実施形態に係る光学制御部材の断面図。
【図１２Ａ】図１２Ａは、第５の実施形態に係る光学制御部材の光学特性のグラフを示した図。
【図１２Ｂ】図１２Ｂは、第５の実施形態に係る光学制御部材の光学特性のグラフを示した図。
【図１３】図１３は、第６の実施形態に係る光学制御部材の断面図。
【図１４Ａ】図１４Ａは、第６の実施形態に係る光学制御部材の光学特性のグラフを示した図。
【図１４Ｂ】図１４Ｂは、第６の実施形態に係る光学制御部材の光学特性のグラフを示した図。
【図１５Ａ】図１５Ａは、パターン内に光学制御層を形成した光学制御部材の正面図。
【図１５Ｂ】図１５Ｂは、パターン内に光学制御層を形成した光学制御部材の斜視図。
【図１６】図１６は、光学制御層のパターンの一例を示す平面図。
【図１７】図１７は、光学制御層のパターンの一例を示す平面図。
【図１８】図１８は、光学制御層のパターンの一例を示す平面図。
【図１９】図１９は、光学制御層のパターンの一例を示す平面図。
【発明を実施するための形態】
【０００８】
以下、図面を参照しながら、本発明の複数の実施形態に係る光学制御部材１について詳細に説明する。
【０００９】
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（第１の実施形態）  
図１は、第１の実施形態に係る光学制御部材の断面図である。図２Ａは、第１の実施形態に係る光学制御部材１を、手前側（Ｂ側）から奥側（Ａ側）へ向かって、透明基材２に対して垂直な方向から観察した時の正面図である。また、図２Ｂは、第１の実施形態に係る光学制御部材１を、奥側（Ａ側）から手前側（Ｂ側）へ向かって、透明基材２に対して垂直な方向から観察した時の正面図である。
【００１１】
図１に示すように、光学制御部材１は、屈折率が空気よりも大きい透明基材２（例えば、屈折率が１．４９である透明アクリル樹脂で形成された厚さ２ｍｍの板状の基材）と、透明基材２の表面であって、互いに平行に対向する第１面２ａおよび第２面２ｂに設けられた第１光学制御層３ａおよび第２光学制御層３ｂとを備える。
【００１２】
図１および図２Ａに示すように、第１光学制御層３ａは、透明基材２の第１面２ａ（図１中Ｂ側の面）上に設けられ、第１領域４ａと第２領域４ｂとからなるパターンで形成されている。第１領域４ａおよび第２領域４ｂは、例えば、紙面に対して平行な方向へ、交互に周期的に設けられている。また、第１領域４ａおよび第２領域４ｂは、それぞれ、図１および図２Ａにおいて、紙面に対して垂直な方向へ、例えば、幅１．３ｍｍの帯状に延伸している。
【００１３】
第１領域４ａは、例えば、基材の第１面２ａが露出した開口部であり、第２領域４ｂは、例えば、第１面２ａ上に形成された遮光層である。第１領域４ａは、第１領域４ａに入射する光の一部を光学制御部材１の第２面２ｂ側へ透過させ（図１中Ａ側）、第２領域４ｂは、第２領域４ｂに入射する光のすべてを遮光する。換言すると、第１領域４ａの光透過率は第２領域４ｂの光透過率よりも大きい。即ち、透明基材２の第１面２ａ上に、光が透過する領域（例えば、開口部）と光が透過しない領域（非開口部）とが帯状に交互に設けられている。
【００１４】
第２領域４ｂは、光学特性の異なる２層の遮光層が積層されて形成されている。具体的には、第２領域４ｂは、光吸収層６と光反射層７（または光散乱層）とが積層されて形成されている。第２領域４ｂを形成する２層のうち、光学制御部材１を手前側（Ｂ側）から奥側（Ａ側）へ向かって観察した場合に、Ｂ側に位置する層が光吸収層６であり、Ａ側に位置する層が光反射層７（または光散乱層）である。従って、光学制御部材１に対して、Ｂ側から入射する光のうち、第２領域４ｂへ入射する光は光吸収層６によって吸収されるため、光学制御部材１をＢ側から見た場合に、第２領域４ｂは暗く見える。一方、光吸収層６と透明基材２との間に挟まれた光反射層７（または光散乱層）は、Ｂ側から入射する光のうち、透明基材２のＡ側の面（第２面２ｂ）で反射されてＢ側の面（第１面２ａ）へ戻る光を、再びＡ側へ反射（または散乱）する。
【００１５】
第２領域４ｂは、公知の方法で形成することができる。例えば、第２領域４ｂは、透明基材２の表面に各種の印刷法を利用して形成することができる。例えば、透明樹脂に酸化チタンの微粒子などを混ぜて混練したものを、所定のピッチで帯状に印刷して光散乱層または光反射層７（高反射印刷膜）を形成し、続いて、位置合わせを行いながら、形成した光散乱層の上に更にカーボンブラックなどの有色物質を混ぜた樹脂を塗布して、光吸収層６（黒印刷膜）を形成する。また、光散乱層または光反射層７は、各種印刷法のみならず、ＰＶＤ、ＣＶＤ、フォトリソグラフィ、透明基材２へのフロスト処理、射出成型による金型シボ加工処理などで形成してもよい。
【００１６】
第１領域４ａは、例えば、透明基材２の第１面２ａにおいて第２領域４ｂが形成されていない非印刷領域またはリソグラフィによりエッチングされた帯状の箇所（例えば、開口部）である。第１領域４ａは、必ずしも透明基材の第１面２ａが露出した箇所である必要はない。第１領域４ａは、例えば、透明基材２よりも屈折率が低い物質で第１面２ａをコーティングして形成してもよい。第１領域４ａは、例えば、第２領域４ｂと透明基材表面（第１面２ａ）とを覆う、透明基材よりも屈折率の低い保護層であってもよい。
【００１７】
第１光学制御層３ａは、必ずしも透明基材２の表面上に直接形成されている必要はない。透明基材２とは別のシート上に形成した第１領域４ａおよび／または第２領域４ｂを位置合わせして透明基材２に貼り付けた構成でもよい。
【００１８】
図１および図２Ｂに示すように、第２光学制御層３ｂは、透明基材２の第２面２ｂ（図１中Ａ側の面）上に設けられ、第３領域５ａと第４領域５ｂとからなるパターンで形成されている。第３領域５ａおよび第４領域５ｂは、例えば、紙面に対して平行な方向へ、交互に周期的に設けられている。また、第３領域５ａおよび第４領域５ｂは、それぞれ、図１および図２Ｂにおいて、紙面に対して垂直な方向へ、例えば、幅１．３ｍｍの帯状に延伸している。
【００１９】
第３領域５ａは、例えば、基材の第２面２ｂが露出した開口部であり、第４領域５ｂは、例えば、第２面２ｂ上に形成された遮光層である。第３領域５ａは、第３領域５ａに入射する光の一部を光学制御部材１の第１面２ａ側へ透過させ（図１中Ｂ側）、第４領域５ｂは、第４領域５ｂに入射する光のすべてを遮光する。換言すると、第３領域５ａの光透過率は第４領域５ｂの光透過率よりも大きい。即ち、透明基材２の第２面２ｂ上に、光が透過する領域（例えば、開口部）と光が透過しない領域（非開口部）とが帯状に交互に設けられている。
【００２０】
第１の実施形態では、第４領域５ｂは、光反射層７（または光散乱層）が形成されている。従って、Ａ側から光学制御部材１に入射する光のうち、第４領域５ｂへ入射する光はＡ側へ反射（または散乱）される。そのため、Ａ側から光学制御部材１を見た場合、第４領域５ｂは明るく見える。一方、Ａ側から光学制御部材１に対して斜めに入射する光のうち、第３領域５ａへ入射する光は、第３領域５ａを透過して第１面２ａ（透明基材２のＢ側の面）上に設けられた光反射層７（または光散乱層）へ到達し、Ａ側へ反射（または散乱）される。
【００２１】
第３領域５ａは、例えば、透明基材２の第１面２ｂにおいて第４領域５ｂが形成されていない非印刷領域またはリソグラフィによりエッチングされた帯状の箇所（例えば、開口部）である。  
第３領域５ａおよび第４領域５ｂは、第１領域４ａまたは第２領域４ｂと同様にして形成される。  
第２光学制御層３ｂは、第１光学制御層３ａと同様に、必ずしも透明基材２の表面上に直接形成されている必要はない。透明基材２とは別のシート上に形成した第３領域５ａおよび／または第４領域５ｂを位置合わせして貼り付けた構成でもよい。
【００２２】
次に、第１光学制御層３ａおよび第２光学制御層３ｂの位置関係を説明する。  
第１の実施形態に係る光学制御部材１では、透明基材２の第１面２ａに設けられた第１領域４ａと第２面２ｂに設けられた第３領域５ａとは、互いに対向して重なっている。また、第１面２ａに設けられた第２領域４ｂと第２面２ｂに設けられた第４領域５ｂとは、互いに対向して重なっている。即ち、第１面２ａに設けられた第１光学制御層３ａのパターンの周期と第２面２ｂに設けられた第２光学制御層３ｂのパターンの周期とは一致し、且つ、ずれがない。それ故、第１の実施形態に係る光学制御部材１を透明基材２の法線方向に沿ってＡ側から観察すると、Ｂ側の第１面２ａ上に形成された遮光層が視認されず、透明基材２の法線方向に沿ってＢ側から光学制御部材１を見た場合は、Ａ側の第２面２ｂ上に形成された遮光層が視認されない。
【００２３】
また、第１の実施形態に係る光学制御部材１を、Ａ側から光学制御部材１に対して斜め方向に観察すると、透明基材２の第１面２ａに設けられた第１領域４ａと第２面２ｂに設けられた第４領域５ｂとが重なって向き合い、第１面２ａに設けられた第２領域４ｂと第２面２ｂに設けられた第３領域５ａとが重なって向き合う。即ち、光学制御部材１を、Ａ側から光学制御部材１に対して斜め方向に観察すると、第１面２ａ上に形成された遮光層と第２面２ｂ上に形成された遮光層との双方が視認される。
【００２４】
次に、第１の実施形態に係る光学制御部材１を使用した場合に観察される光学的および熱的な効果を説明する。  
上記のとおり、光学制御部材１では、透明基材２の両面に形成された、光が透過する領域（第１領域４ａおよび第３領域５ａ）が、基材表面の法線方向からみた場合に、重なって一致する。そのため、光学制御部材１は、表面に対して垂直または略垂直な方向から入射する光を最も良く透過する。一方、光学制御部材１では、透明基材２の両面に形成された、光が透過する領域と（第１領域４ａおよび第３領域５ａ）光が遮断される領域（第２領域４ｂおよび第４領域５ｂ）が、基材表面に対して斜め方向からみた場合に、重なって一致する。そのため、光学制御部材１に対して斜めに入射した光の多くは、光が入射する側の面に設けられた遮光層で遮断されるか、基材の反対側の面に設けられた遮光層で遮断される。従って、光学制御部材１に対して斜めに入射した光は、光学制御部材１の背面側へほとんど透過しない。
【００２５】
上記の事実から、第１の実施形態に係る光学制御部材１を観察した場合の視覚的な効果および熱的効果は以下のとおりである。  
Ａ側から透明基材２の法線方向に沿って光学制御部材１を観察すると、Ｂ側から透明基材２に対して垂直または略垂直に入射してＡ側へ透過する光を観察できるが、基材両面に設けられた光反射層７（または光散乱層）によって反射または散乱された光を伴うため、視認状況が極めて悪い。また、Ａ側から透明基材２に対して斜め方向に光学制御部材１を観察すると、Ｂ側から光学制御部材１に入射する光をほとんど観察できない。また、透明基材２の両面に設けられた光反射層７（または光散乱層）によって反射または散乱された光によって、光学制御部材１が鏡面のように（または白く）見える。また、Ａ側から入射する光の多くは、光学制御部材１を透過するかまたは反射もしくは散乱されるため、Ａ側から入射する光は、ほとんど熱に転化しない。すなわち、光学制御部材１は、Ａ側から入射する光に対して断熱効果がある。
【００２６】
一方、Ｂ側から透明基材２の法線方向に沿って光学制御部材１を観察すると、Ａ側から透明基材２に対して垂直または略垂直に入射してＢ側へ透過する光を観察できる。また、Ｂ側から光学制御部材１に入射する光の一部は、Ｂ側の第１面２ａ上に設けられた光吸収層６によって吸収されるため、Ａ側から光学制御部材１を観察した場合と比較して、光学制御部材１の奥側（Ａ側）の景色を高いコントラストで観察することができる。また、Ｂ側から透明基材２に対して斜め方向に光学制御部材１を観察すると、Ａ側から光学制御部材１に入射する光をほとんど観察できない。
【００２７】
図３Ａおよび図３Ｂは、第１の実施形態に係る光学制御部材１に対して、Ａ側およびＢ側から光が入射する場合の透過率および反射率を定性的にそれぞれ示したグラフである。図中の入射角０度は、光学制御部材１に対して法線方向から光が入射した場合の角度であり、入射角度９０度は、光学制御部材１に対して平行方向から光が入射した場合の角度である。
【００２８】
図３Ａのグラフに示した通り、光学制御部材１に対してＡ側から入射する光は、光の入射角度が基材表面の法線方向（入射角０度または１８０度）から平行方向（入射角９０度）へ変わるに従い、反射率が増大する。また、光学制御部材１に対してＡ側から入射する光は、光の入射角度が基材表面の法線方向（入射角０度または１８０度）から平行方向（入射角９０度）へ変わるに従い、透過率が減少する。
【００２９】
図３Ｂのグラフに示した通り、光学制御部材１に対してＢ側から入射する光は、光の入射角度が基材表面の法線方向（入射角０度または１８０度）から平行方向（入射角９０度）へ変わるに従い、反射率が増大する。また、光学制御部材１に対してＢ側から入射する光は、光の入射角度が基材表面の法線方向（入射角０度または１８０度）から平行方向（入射角９０度）へ変わるに従い、透過率が減少する。
【００３０】
図３Ａにおいて、透過率の最大値が５０％より小さく、反射率の最小値が５０％より大きい理由は、透明基材２の第２面２ｂにおいて、表面全体の半分の面積にわたり反射層（または散乱層）である第４領域５ｂが配設されており、かつ、第３領域５ａ（例えば、透明基材２と空気との境界面）において入射光の一部が反射するためである。また、図３Ｂにおいて、透過率および反射率の双方とも最大値が５０％以下である理由は、透明基材２の第１面２ａにおいて、表面全体の半分の面積にわたり吸収層が積層された第２領域４ｂが配設されており、かつ、第１領域４ａ（例えば、透明基材２と空気との境界面）において入射光の一部が反射するためである。
【００３１】
また、図３Ａおよび図３Ｂのグラフにおいて、透過率および反射率は直線的に増減しているが、これは窓ガラス自体のフレネル反射を無視し吸収層が１００％吸収し反射層が１００％反射したときを想定したものであって、実際には、屈折率界面のフレネル反射や吸収層および反射層でのわずかな透過や、第１面２ａおよび第２面２ｂでの２次反射、３次反射等の影響および光の干渉効果の影響で直線的に増減しないが、概ね図示したような変化になる。
【００３２】
上記のとおり、第１の実施形態に係る光学制御部材１は、例えば、Ｂ側を室内に向け、Ａ側を屋外に向けて使用すれば、優れた覗き見防止効果および優れた屋外光の遮熱効果を発揮し、かつ、良好な屋外の視認性を確保できる。即ち、本実施形態によれば、表側と裏側とで独立した光学制御が可能な光学制御部材が得られる。
【００３３】
次に、他の実施形態に係る光学制御部材１について説明する。なお、以下に説明する他の実施形態において、前述した第１の実施形態と同一の部分には、同一の参照符号を付してその詳細な説明を省略し、第１の実施形態と異なる部分を中心に詳しく説明する。
【００３４】
（第２の実施形態）  
図４は、第２の実施形態に係る光学制御部材１の断面図である。第２の実施形態に係る光学制御部材１は、第１の実施形態に係る光学制御部材１において、光吸収層６と光反射層７（または光散乱層）との配置を入れ替えた構成としている。すなわち、透明基材２の第１面２ａ上に設けられた第１光学制御層３ａにおいて、各第２領域４ｂは、第１面２ａ上に形成された光吸収層６と、この光吸収層６上に積層された光反射層７とを有している。また、第２面２ｂ上に設けられた第２光学制御層３ｂの第４領域５ｂは、光吸収層６で構成されている。第２の実施形態において、他の構成は、第１の実施形態に係る光学制御部材１と同様である。
【００３５】
第２の実施形態に係る光学制御部材１を使用した場合に観察される光学的および熱的な効果を説明する。  
Ａ側から透明基材２の法線方向に沿って光学制御部材１を観察すると、透明基材２の反対側（Ｂ側）から透明基材２に対して垂直に入射して、第１領域４ａおよび第３領域５ａを透過する光を観察できる。Ａ側から光学制御部材１に入射する光の多くは、透明基材２の両面に形成された光吸収層６によって吸収されるか又は透明基材２の反対側（Ｂ側）へ透過するため、極めて良好なコントラストでＢ側の光を観察できる。また、Ａ側から透明基材２に対して斜め方向に光学制御部材１を観察すると、透明基材２の反対側（Ｂ側）から光学制御部材１へ入射する光をほとんど観察できず、第１面２ａおよび第２面２ｂ上に形成された光吸収層６の存在のため、光学制御部材１全体が暗く見える。
【００３６】
一方、Ｂ側から透明基材２の法線方向に沿って光学制御部材１を観察すると、Ａ側から透明基材２に対して垂直に入射してくる光を観察できるが、Ｂ側の第１面２ａ上に形成された反射層７からの反射光を伴うため、Ａ側から光学制御部材１を観察した場合と比較して、光学制御部材１の奥側の景色の視認性が劣る。また、Ｂ側から基材に対して斜め方向に光学制御部材１を観察すると、Ａ側から光学制御部材１へ入射する光をほとんど観察できない。また、Ｂ側から入射する光の一部は、反射層７で反射（または散乱）されるため、熱に転化しにくい。
【００３７】
図５Ａおよび図５Ｂに示したグラフは、上で説明した第２の実施形態に係る光学制御部材１の光学特性を、光の入射角と透過率または反射率との関係で示したグラフである。
【００３８】
図５Ａのグラフに示した通り、光学制御部材１に対してＡ側から入射する光は、光の入射角度によらず反射率がほぼ一定である。また、光学制御部材１に対してＡ側から入射する光は、光の入射角度が基材表面の法線方向（入射角０度または１８０度）から平行方向（入射角９０度）へ変わるに従い、透過率が減少する。図５Ｂのグラフに示した通り、光学制御部材１に対してＢ側から入射する光は、光の入射角度によらず、反射率がほぼ一定である。また、光学制御部材１に対してＢ側から入射する光は、光の入射角度が透明基材２表面の法線方向（入射角０度または１８０度）から平行方向（入射角９０度）へ変わるに従い、透過率が減少する。
【００３９】
上記のとおり、第２の実施形態に係る光学制御部材１は、例えば、Ｂ側を屋外に向け、Ａ側を室内に向けて使用すれば、優れた屋外の視認性を達成し、かつ、良好な覗き見防止効果および良好な屋外光の遮熱効果を発揮する。即ち、本実施形態によれば、表側と裏側とで独立した光学制御が可能な光学制御部材が得られる。
【００４０】
（第３の実施形態）  
図６は、第３の実施形態に係る光学制御部材１の断面図である。第３の実施形態に係る光学制御部材１は、第１の実施形態に係る光学制御部材１において、第１光学制御層３ａおよび第２光学制御層３ｂが備える第２領域４ｂおよび第４領域５ｂの双方とも、光吸収層６および光反射層７（または光散乱層）の２層を積層して形成された構成となっている。また、Ａ側またはＢ側のどちらの方向から観察しても、第１光学制御層３ａおよび第２光学制御層３ｂは、光吸収層６および光反射層７（または光散乱層）が同じ並びで積層されている。
【００４１】
以下に、第３の実施形態に係る光学制御部材１を使用した場合に観察される光学的および熱的な効果を説明する。  
Ａ側から透明基材２の法線方向に沿って光学制御部材１を観察すると、Ｂ側から透明基材２に対して垂直または略垂直に入射してくる光を観察できるが、透明基材２両面に設けられた光反射層７（または光散乱層）によって反射（または散乱）された反射光を伴うため、視認状況が極めて悪い。また、Ａ側から透明基材２に対して斜め方向に光学制御部材１を観察すると、Ｂ側から入射する光をほとんど観察できず、Ａ側から入射する光が第１面２ａおよび第２面２ｂ上に設けられた光反射層７において反射するため、鏡面のように（または白く）見える。また、Ａ側から入射する光の多くは、反射（または散乱）されるか、Ｂ側へ透過するため、Ａ側から入射する光は、光学制御部材１において、ほとんど熱に転化しない。
【００４２】
一方、Ｂ側から透明基材２の法線方向に沿って光学制御部材１を観察すると、Ａ側から透明基材２に対して垂直または略垂直に入射してくる光を観察でき、かつ、Ｂ側から光学制御部材１に入射する光の多くは、光吸収層６によって吸収されるので、極めて良好なコントラストでＡ側の光を観察できる。また、Ｂ側から透明基材２に対して斜め方向に光学制御部材１を観察すると、Ａ側から入射する光をほとんど観察できず、Ｂ側から入射する光が第１面２ａ上に設けられた光吸収層６において吸収されるため、暗く見える。
【００４３】
図７Ａおよび図７Ｂに示したグラフは、上で説明した第３の実施形態に係る光学制御部材１の光学特性を、光の入射角と透過率または反射率との関係で示したグラフである。
【００４４】
図７Ａのグラフに示した通り、光学制御部材１に対してＡ側から入射する光は、光の入射角度が透明基材２表面の法線方向（入射角０度または１８０度）から平行方向（入射角９０度）へ変わるに従い、透過率が減少しかつ反射率が増大する。図７Ｂのグラフに示した通り、光学制御部材１に対してＢ側から入射する光は、光の入射角度によらず、反射率がほぼ一定である。また、光学制御部材１に対してＢ側から入射する光は、光の入射角度が透明基材２表面の法線方向（入射角０度または１８０度）から平行方向（入射角９０度）へ変わるに従い、透過率が減少する。
【００４５】
上記のとおり、第３の実施形態に係る光学制御部材１は、例えば、Ｂ側を室内に向け、Ａ側を屋外に向けて使用すれば、優れた覗き見防止効果、優れた屋外光の遮熱効果および優れた屋外の視認性が得られる。即ち、本実施形態によれば、表側と裏側とで独立した光学制御が可能な光学制御部材が得られる。
【００４６】
（第４の実施形態）
図８は、第４の実施形態に係る光学制御部材の断面図である。図９Ａは、第４の実施形態に係る光学制御部材１を、Ｂ側からＡ側へ向かって、透明基材２の法線方向から観察した時の正面図である。また、図９Ｂは、第１の実施形態に係る光学制御部材１を、Ａ側からＢ側へ向かって、透明基材２の法線方向から観察した時の正面図である。
【００４７】
第４の実施形態に係る光学制御部材１は、第１面２ａに設けられた第１光学制御層３ａのパターンの周期と第２面２ｂに設けられた第２光学制御層３ｂのパターンの周期とが一致し、且つ、互いに反周期ずれていること以外は、第１の実施形態に係る光学制御部材１とほぼ同様の構成である。即ち、第４の実施形態に係る光学制御部材１では、第１光学制御層３ａの第１領域４ａ（光が透過する領域）と第２光学制御層３ｂの第４領域５ｂ（光が透過しない領域）とが透明基材２を挟んで互いに重なって対向し、第１光学制御層３ａの第２領域４ｂ（光が透過しない領域）と第２光学制御層の第３領域５ａ（光が透過する領域）とが透明基材２を挟んで互いに重なって対向している。それ故、第１の実施形態に係る光学制御部材１を透明基材２の法線方向から観察すると、Ａ側およびＢ側のどちらから光学制御部材１を見ても、透明基材２の両面に設けられた第１光学制御層３ａおよび第２光学制御層３ｂが直接的にかまたは透明基材２を通して間接的に視認される。
【００４８】
次に、第４の実施形態に係る光学制御部材１を使用した場合に観察される光学的および熱的な効果を説明する。  
上記のとおり、第４の実施形態に係る光学制御部材１では、透明基材２の第１面２ａに形成された第１領域４ａ（光が透過する領域）と第２面２ｂに形成された第４領域５ｂ（光が遮断される領域）とが透明基材２を挟んで互いに重なって対向しているため、光学制御部材１に対して垂直または略垂直な方向から入射する光は、透明基材２の反対側へほとんど透過しない。換言すると、第１領域４ａに対して垂直または略垂直に入射する光は、第４領域５ｂで遮断される。一方、第１光学制御層３ａの第１領域４ａに対して斜めに入射した光の多くは、第２面２ｂに設けられた第３領域５ａへ到達し、光学制御部材１を透過する。
【００４９】
従って、Ａ側から透明基材２表面の法線方向に沿って光学制御部材１を観察すると、Ｂ側から透明基材２表面に対して垂直または略垂直に入射する光を観察することができない。また、Ａ側から透明基材２に対して斜め方向に沿って光学制御部材１を観察すると、Ｂ側から透明基材２に対して斜め方向に入射する光を視認できるが、透明基材２両面に設けられた光反射層７（または光散乱層）によって反射（または散乱）される反射光を伴うため視認状況が極めて悪い。また、Ａ側から入射する光の多くは、反射または散乱されるため、Ａ側から入射する光は、ほとんど熱に転化しない。
【００５０】
一方で、Ｂ側から透明基材２表面の法線方向に沿って光学制御部材１を観察すると、Ａ側から透明基材２表面に対して垂直に入射する光を観察することができない。また、Ｂ側から透明基材２表面に対して斜め方向に沿って光学制御部材１を観察すると、Ａ側から透明基材２に対して斜め方向に入射する光を視認でき、かつ、Ｂ側から光学制御部材１に入射する光の一部は、光吸収層６によって吸収されるので、Ａ側から光学制御部材１を観察した場合と比較して、良好なコントラストでＡ側の光を観察できる。
【００５１】
図１０Ａおよび図１０Ｂは、上で説明した第２の実施形態に係る光学制御部材１の光学特性を、光の入射角と透過率または反射率との関係で示したグラフである。
【００５２】
図１０Ａのグラフに示した通り、光学制御部材１に対してＡ側から入射する光は、光の入射角度が透明基材２表面の法線方向（入射角０度または１８０度）から平行方向（入射角９０度）へ変わるに従い、透過率が増大しかつ反射率が減少する。図７Ｂのグラフに示した通り、光学制御部材１に対してＢ側から入射する光は、光の入射角度が透明基材２表面の法線方向（入射角０度または１８０度）から平行方向（入射角９０度）へ変わるに従い、反射率が減少し、透過率が増大する。
【００５３】
上記のとおり、第４の実施形態に係る光学制御部材１は、例えば、Ｂ側を室内に向け、Ａ側を屋外に向けて使用すれば、優れた覗き見防止効果および優れた屋外光の遮熱効果を発揮し、かつ、良好な屋外の視認性を確保できる。即ち、本実施形態によれば、表側と裏側とで独立した光学制御が可能な光学制御部材が得られる。
【００５４】
なお、第４の実施形態に係る光学制御部材１では、光反射層７または光散乱層を設ける箇所を、例えば、金属蒸着で形成する光反射層７とした場合、Ａ側の面は鏡面仕様となる。この場合、Ａ側から透明基材２の法線方向に沿って光学制御部材１を観察すると、ほぼ実像が映る鏡面のように見える。
【００５５】
（第５の実施形態）
第５の実施形態に係る光学制御部材１は、第４の実施形態に係る光学制御部材１において、光吸収層６と光反射層７（または光散乱層）との配置を入れ替えた構成である。図１１は、第５の実施形態に係る光学制御部材１の断面図である。
【００５６】
第５の実施形態に係る光学制御部材１を使用した場合に観察される光学的および熱的な効果を説明する。  
Ａ側から透明基材２表面の法線方向に沿って光学制御部材１を観察すると、Ｂ側から透明基材２表面に対して垂直に入射する光を観察することができない。また、Ａ側から透明基材２表面に対して斜め方向に光学制御部材１を観察すると、Ｂ側から透明基材２表面に対して斜め方向に入射する光を視認できる。また、Ａ側から入射する光の多くは透明基材２両面に設けられた光吸収層６によって吸収されるため、Ｂ側から入射する光を高いコントラストで極めて良好に観察できる。
【００５７】
一方、Ｂ側から透明基材２表面の法線方向に沿って光学制御部材１を観察すると、Ａ側から透明基材２表面に対して垂直に入射する光をほとんど観察することができない。また、Ｂ側から透明基材２表面に対して斜め方向に沿って光学制御部材１を観察すると、Ａ側から透明基材２表面に対して斜め方向に入射する光を視認できるが、光反射層７（または光散乱層）による反射光（または散乱光）を伴うため、Ａ側から観察した場合と比較して、光学制御部材１の背面側の景色の視認性が劣る。また、Ｂ側から入射する光の一部は、第１面２ａに形成された第２領域４ｂによって反射または散乱されるため、Ａ側と比較して入射する光が熱に転化しにくい。
【００５８】
図１２Ａおよび図１２Ｂは、上で説明した第５の実施形態に係る光学制御部材１の光学特性を、光の入射角と透過率または反射率との関係で示したグラフである。
【００５９】
図１２Ａのグラフに示した通り、光学制御部材１に対してＡ側から入射する光は、光の入射角度が透明基材２表面の法線方向（入射角０度または１８０度）から平行方向（入射角９０度）へ変わるに従い、透過率が増大する。また、光学制御部材１に対してＡ側から入射する光は、光の入射角度によらず、反射率がほぼ一定である。図１２Ｂのグラフに示した通り、光学制御部材１に対してＢ側から入射する光は、光の入射角度が透明基材２表面の法線方向（入射角０度または１８０度）から平行方向（入射角９０度）へ変わるに従い、透過率が増大する。また、光学制御部材１に対してＢ側から入射する光は、光の入射角度によらず、反射率がほぼ一定である。
【００６０】
上記のとおり、第５の実施形態に係る光学制御部材１は、例えば、Ｂ側を屋外に向け、Ａ側を室内に向けて使用すれば、優れた屋外の景色の視認性を確保でき、良好な覗き見防止効果および遮熱効果が得られる。即ち、本実施形態によれば、表側と裏側とで独立した光学制御が可能な光学制御部材が得られる。
【００６１】
（第６の実施形態）  
図１３は、第６の実施形態に係る光学制御部材の断面図である。第６の実施形態に係る光学制御部材１は、第１面２ａに設けられた第１光学制御層３ａのパターンの周期と第２面２ｂに設けられた第２光学制御層３ｂのパターンの周期とが一致し、且つ、互いに反周期ずれていること以外は、第３の実施形態に係る光学制御部材１と同様の構成である。
【００６２】
第６の実施形態に係る光学制御部材１を使用した場合に観察される光学的および熱的な効果を説明する。  
Ａ側から透明基材２の法線方向に沿って光学制御部材１を観察すると、Ｂ側から透明基材２に対して垂直または略垂直に入射してくる光をほとんど観察できず、Ａ側から入射する光が第２面２ｂ上に設けられた光反射層７において反射するため、明るく見える。また、Ａ側から透明基材２の斜め方向に沿って光学制御部材１を観察すると、Ｂ側から透明基材２に対して斜めに入射した光を観察することができるが、透明基材２両面に設けられた光反射層７（または光散乱層）によって反射（または散乱）された光によって視認状況が極めて悪い。また、Ａ側から入射する光の多くは、反射（または散乱）されるか、Ｂ側へ透過するため、Ａ側から入射する光は、ほとんど熱に転化しない。
【００６３】
一方、Ｂ側から透明基材２の法線方向に沿って光学制御部材１を観察すると、Ａ側から透明基材２に対して垂直または略垂直に入射してくる光をほとんど観察できず、Ｂ側から入射する光が第１面２ａ上に設けられた光吸収層６において吸収されるため、暗く見える。また、Ｂ側から透明基材２に対して斜め方向に光学制御部材１を観察すると、Ａ側から透明基材２に対して斜め方向に入射してくる光を観察でき、かつ、Ｂ側から光学制御部材１に入射する光の多くは、光吸収層６によって吸収されるので、極めて良好なコントラストでＡ側の光を観察できる。
【００６４】
図１４Ａおよび図１４Ｂは、上で説明した第６の実施形態に係る光学制御部材１の光学特性を、光の入射角と透過率または反射率との関係で示したグラフである。
【００６５】
図１４Ａのグラフに示した通り、光学制御部材１に対してＡ側から入射する光は、光の入射角度が基材表面の法線方向（入射角０度または１８０度）から平行方向（入射角９０度）へ変わるに従い、透過率が増大しかつ反射率が減少する。図１２Ｂのグラフに示した通り、光学制御部材１に対してＢ側から入射する光は、光の入射角度が透明基材２表面の法線方向（入射角０度または１８０度）から平行方向（入射角９０度）へ変わるに従い、透過率が増大する。また、光学制御部材１に対してＢ側から入射する光は、光の入射角度によらず、反射率がほぼ一定である。
【００６６】
上記のとおり、第６の実施形態に係る光学制御部材１は、例えば、Ｂ側を室内に向け、Ａ側を屋外に向けて使用すれば、優れた覗き見防止効果、優れた屋外光の遮熱効果および優れた屋外の視認性が得られる。即ち、本実施形態によれば、表側と裏側とで独立した光学制御が可能な光学制御部材が得られる。
【００６７】
なお、第６の実施形態に係る光学制御部材１では、光反射層７または光散乱層とした箇所を、例えば、金属蒸着で形成する光反射層７に特定した場合、Ａ側の面は鏡面仕様となる。この場合、Ａ側から基材の法線方向に沿って光学制御部材１を観察すると、光学制御部材１は、鏡面のように見える。
【００６８】
上で説明した第１〜第６の各実施形態において、透明基材２の両面に設けられた第１光学制御層３ａおよび第２光学制御層３ｂは、周期的な帯状のパターンである。この場合、帯に平行な方向で入射する光は、ほとんどが第１領域４ａ（光が透過する領域）を通って光学制御部材１を透過する。一方で、帯に直交する方向で入射する光は、ある特定の角度で入射する場合に光学制御部材１をほとんど透過し、別の特定の角度で入射する場合に光学制御部材１をほとんど透過しない。従って、光学制御部材１を観察する角度を変化させることによって、暗い吸収層（または明るい反射層）しか視認できない状態から、光学制御部材１の背景側の景色を視認できる状態へ変化する。
【００６９】
それ故、例えば、透明基材２の両面において、閉じた輪郭の中だけ、第１〜第６の各実施形態で説明した第１光学制御層３ａおよび第２光学制御層３ｂを形成し、輪郭の外は、光吸収層６または光反射層７を一面に塗布することによって、見る角度を変えると隠れていたパターンが現れる、装飾効果の高い光学制御部材１を作成することができる。あるいは、日の出から日の入りまで、太陽の角度が変わるにつれて、パターンが隠れるかまたは現れる光学制御部材１を提供できる。上に説明したパターンは、例えば、文字、図形または絵柄などであってよい。
【００７０】
図１５Ａ、図１５Ｂは、第３の実施形態で説明した光学制御層３をパターン内に形成して作成した光学制御部材１の一例である。図１５Ａおよび図１５Ｂにおいて、パターンの輪郭１０の外側には、光吸収層６が塗布され、パターンの輪郭１０の内側は、透明基材２の両面において、第１光学制御層３ａおよび第２光学制御層３ｂが形成されている。第１光学制御層３ａおよび第２光学制御層３ｂは、第３の実施形態に係る光学制御部材１を作成するのと同様の方法で形成されている。この場合、図１５Ａに示すように、光学制御部材１に対して垂直な方向から観察すると、背景側から透過してくる光によってパターンを認識可能であり、図１５Ｂに示すように、光学制御部材１に対して斜め方向から観察すると一様な暗い面だけが視認され、パターンを認識できない。
【００７１】
第１〜第６の実施形態の説明では、透明基材２の両面に設けられた第１光学制御層３ａおよび第２光学制御層３ｂは、周期的な帯状のパターンであるとしたが、第１光学制御層３ａおよび第２光学制御層３ｂのパターンは帯状に限らない。例えば、図１６〜１８に示すように、第１光学制御層３ａおよび第２光学制御層３ｂは、開口部が格子状に周期的にもうけられたパターンであってもよい。
【００７２】
図１６および図１７は、紙面の左右（Ｘ軸）方向と上下（Ｙ軸）方向の２方向に遮光性を発揮するパターン例を示している。この場合、Ｘ、Ｙ軸に対して４５度傾いた方向は、Ｘ、Ｙ軸よりも遮光性が弱まる。図１６に示すパターンと図１７に示すパターンとでは、第１領域４ａの開口率が異なっており、光学制御部材１全体の透過率と４５度方向の遮光性能の設定を調整している。
【００７３】
図１８は、全方向の遮光性を発揮するパターン例を示している。遮光性能は全方位で発揮される一方で、第１領域４ａの開口率が最も小さくなるため、光学制御部材１全体の透過率も一番小さくなる。
【００７４】
以上のように、第１光学制御層３ａ（第２光学制御層３ｂ）の第１領域４ａ（第３領域５ａ）と第２領域４ｂ（第４領域９）とのパターンは用途に応じて柔軟に設計が可能である。
【００７５】
なお、本発明は上述した実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００７６】
また、実施形態に係る光学制御部材１は、透明基材２の両面に形成された第１光学制御層３ａおよび第２光学制御層３ｂの光学特性（例えば、光反射率、光吸収率または光散乱率）が同一である必要がない。実施形態３および６の構成のように、奥側（Ａ側）から光学制御部材１を観察した場合に、第１光学制御層３ａおよび第２光学制御層３ｂが類似した光学特性をもつ光学制御層として機能し、手前側（Ｂ側）から光学制御部材１を観察した場合に、第１光学制御層３ａおよび第２光学制御層３ｂが類似した光学特性をもつ光学制御層として機能すればよい。例えば、実施形態３および６に係る光学制御部材１において、第２領域４ｂに形成された光吸収層６と第４領域５ｂに形成された光吸収層６の吸収率は異なっていてもよい。また、第２領域４ｂに形成された光反射層７と第４領域５ｂに形成された光反射層７の反射率は異なっていてもよい。
【００７７】
また、第１光学制御層３ａおよび第２光学制御層３ｂは、同一の透明基材２の第１面２ａおよび第２面２ｂに形成されていなくてもよい。例えば、図１９に示すように、第１光学制御層３ａおよび第２光学制御層３ｂは、それぞれ、異なる透明基材の互いに対向する表面上に形成されていてもよい。第１光学制御層３ａおよび第２光学制御層３ｂが、それぞれ、異なる透明基材の互いに対向する表面上に形成されている場合であっても、適宜第１光学制御層３ａおよび第２光学制御層３ｂの離間距離（即ち第１面２ａおよび第２面２ｂの垂直方向の距離）を調節することによって、上で説明した所望の効果を得ることができる。
【００７８】
実施形態に係る光学制御部材１は、パーソナルコンピュータや携帯電子機器のディスプレイの表面に設置し、覗き見防止シートとして用いてもよい。また、実施形態に係る光学制御部材１は、窓用の遮熱ルーバー、または、照明器具のカバーとして用いてもよい。更には、実施形態に係る光学制御部材１は、表と裏とで意匠を変える屋内のパーティションとして利用してもよい。
【符号の説明】
【００７９】
１…光学制御部材、２…透明基材、２ａ…第１面、２ｂ…第２面、
３ａ…第１光学制御層、３ｂ…第２光学制御層
４ａ…第１領域、４ｂ…第２領域、５ａ…第３領域、５ｂ…第４領域
６…光吸収層、７…光反射層、  １０…パターンの輪郭
【図１】
2016038439.tif 000003
【図２Ａ】
2016038439.tif 000004
【図２Ｂ】
2016038439.tif 000005
【図３Ａ】
2016038439.tif 000006
【図３Ｂ】
2016038439.tif 000007
【図４】
2016038439.tif 000008
【図５Ａ】
2016038439.tif 000009
【図５Ｂ】
2016038439.tif 000010
【図６】
2016038439.tif 000011
【図７Ａ】
2016038439.tif 000012
【図７Ｂ】
2016038439.tif 000013
【図８】
2016038439.tif 000014
【図９Ａ】
2016038439.tif 000015
【図９Ｂ】
2016038439.tif 000016
【図１０Ａ】
2016038439.tif 000017
【図１０Ｂ】
2016038439.tif 000018
【図１１】
2016038439.tif 000019
【図１２Ａ】
2016038439.tif 000020
【図１２Ｂ】
2016038439.tif 000021
【図１３】
2016038439.tif 000022
【図１４Ａ】
2016038439.tif 000023
【図１４Ｂ】
2016038439.tif 000024
【図１５Ａ】
2016038439.tif 000025
【図１５Ｂ】
2016038439.tif 000026
【図１６】
2016038439.tif 000027
【図１７】
2016038439.tif 000028
【図１８】
2016038439.tif 000029
【図１９】
2016038439.tif 000030